(57)【要約】【課題】外国為替保証金取引における売り持ち又は買い持ちのポジションと、当該ポジションに係る保証金に応じた値幅で損切りすべく算出されたストップロスレートとによりストップロス注文を自動的に発注し、ストップロス注文が約定した場合に当該ポジションを決済する。【解決手段】サーバー３に備えられたストップロス注文発注決済装置５によって、外国為替保証金取引での新規注文の取引通貨単位当りに必要な保証金を設定し、取引対象の新規注文の発注を行い、現在の外国為替レート情報を外部から取得し、外国為替保証金取引における売り持ち又は買い持ちのポジションを成立させ、成立されたポジションに対して上記設定された保証金に応じた値幅で損切りするストップロスレートを算出し、上記成立されたポジションと上記算出されたストップロスレートとによりストップロス注文を自動的に発注し、ストップロス注文が約定した場合に上記ポジションを決済する。【選択図】図１
2009277237.tif 000002
【特許請求の範囲】
【請求項１】
双方向通信可能な通信ネットワークを介して接続されたユーザー端末とサーバーとの間で売買注文を受け付け、外国為替保証金取引において取引される売り持ち又は買い持ちのポジションが成立した場合に、為替差損が一定の値幅に達した際に反対売買時期と判断して自動的に決済する自動ストップロスシステムであって、
上記サーバーは、外国為替保証金取引での新規注文の取引通貨単位当りに必要な保証金を設定し、取引対象の新規注文の発注を行い、現在の外国為替レート情報を外部から取得し、上記外国為替保証金取引における売り持ち又は買い持ちのポジションを成立させ、上記成立されたポジションに対して上記設定された保証金に応じた値幅で損切りするストップロスレートを算出し、上記成立されたポジションと上記算出されたストップロスレートとにより反対売買注文となるストップロス注文を自動的に発注し、上記発注されたストップロス注文が約定した場合に上記ポジションを自動的に決済するストップロス注文発注決済装置を有することを特徴とする自動ストップロスシステム。
【請求項２】
上記サーバー内のストップロス注文発注決済装置は、
外国為替保証金取引での新規注文の取引通貨単位当りに必要な保証金を設定する保証金設定部と、
上記外国為替保証金取引の取引対象の売買注文方法の設定及び新規注文の発注を行う新規注文発注部と、
現在の外国為替レート情報を外部から取得するレート情報取得部と、
上記取得した現在の外国為替レートと上記新規注文発注部で設定された指定値段とを比較し注文を約定させる注文約定部と、
上記注文約定部で約定した新規注文を上記外国為替保証金取引における売り持ち又は買い持ちのポジションとして成立させるポジション成立部と、
上記成立されたポジションに対して上記保証金設定部で設定された保証金に応じた値幅で損切りするストップロスレートを算出するストップロスレート算出部と、
上記ポジション成立部で成立されたポジションと上記ストップロスレート算出部で算出されたストップロスレートとにより反対売買注文となるストップロス注文を自動的に発注する自動ストップロス注文発注部と、
上記発注されたストップロス注文が約定した場合に上記ポジションを自動的に決済するポジション決済部と、
を備えて成ることを特徴とする請求項１記載の自動ストップロスシステム。
【発明の詳細な説明】
【技術分野】
【０００１】
本発明は、外国為替保証金取引業者に保証金を預け入れて行う外国為替保証金取引において取引される売り持ち又は買い持ちのポジションが成立した場合に、為替差損が一定の値幅に達した際に反対売買時期と判断して自動的に決済する自動ストップロスシステムに関し、詳しくは、上記外国為替保証金取引における売り持ち又は買い持ちのポジションと、当該ポジションに係る保証金に応じた値幅で損切りするように算出されたストップロスレートとによりストップロス注文を自動的に発注し、上記発注されたストップロス注文が約定した場合に当該ポジションを自動的に決済する自動ストップロスシステムに係るものである。
【背景技術】
【０００２】
外国為替保証金取引の取引対象は、元本或いは利益を保証した金融商品ではなく、為替相場変動リスクによって、顧客が預け入れた保証金以上の損失を被る可能性がある金融商品である。そして、外国為替取引の市場で行われる外国為替保証金取引では、株式取引において証券取引所が株の急騰・暴落を防止する目的で設ける値幅制限のようなものがないため、顧客が預け入れた保証金の額を上回った損失が発生する虞がある。
【０００３】
これに対処して、外国為替保証金取引業者は、上記の損失が発生する顧客リスクを回避するために、顧客の保有する売り持ち又は買い持ちの全ポジションの評価損合計額が、顧客から預かった保証金に対して一定の割合に達したときに、全ポジションを強制的に決済して顧客の損失拡大を防止する「総額ロスカットシステム」と呼ばれる仕組みを採用している。
【０００４】
しかしながら、この総額ロスカットシステムでは、為替相場変動に合わせて顧客の保有するポジションの評価損益額と、顧客がポジションを維持するために必要な保証金との割合を常に計算処理する必要があり、急激な為替相場変動が起こった場合、また、コンピュータシステムの計算処理が遅れた場合には、顧客が預け入れた保証金以上の損失が発生する可能性がある。また、登録口座データ量や取引データ量が増加することにより、コンピュータシステムの負荷が甚大になる可能性があり、システムダウンなどが発生する虞がある。この場合の損失は、顧客が被らなければならないことがある。
【０００５】
このように、外国為替取引への投資は、タイミング良く売買を繰り返すことにより大きな利益を期待できる半面、投資家の予測に反した相場の値動きにより大きな損失を受ける虞がある。このため、新規の買建注文が約定した場合に、利益を確定するために何円で売りという「指値注文」と共に、損失を一定の幅に抑えるために何円以下になったら売りという「逆指値注文」が行われている。この「指値注文」と「逆指値注文」を同時に行い、一方の注文が約定した場合に他方の注文を取り消すようにしたトレーディングシステムが提案されている（例えば、特許文献１参照）。
【０００６】
また、近年、ユーザー端末とサーバーとを双方向通信可能な通信ネットワークで接続して、ユーザー端末からサーバーに対して外国為替取引の変動相場において取引される取引対象の売買注文を行うことができる売買注文システムが提案されている。この売買注文システムは、ストップロス幅を入力するストップロス幅入力手段と、新規建注文約定時の取引単価を基準単価として前記ストップロス幅に基づいてストップロス単価を設定するストップロス単価設定手段と、変動する取引単価を常時又は隔時に取得する取引単価取得手段と、ストップロス単価設定の基準とした基準単価及びストップロス単価とストップロス単価設定後の取引単価（比較取引単価）を比較する取引値比較手段と、前記取引値比較手段において比較取引単価が前記基準単価に対してストップロス単価と反対方向に推移したと判断したときに、比較取引単価を基準単価として前記ストップロス幅に基づいてストップロス単価を再設定するストップロス単価再設定手段と、前記取引値比較手段において比較取引単価がストップロス単価に達したと判断したときに、反対売買時期であることを通知する通知手段と、を備えて成る（例えば、特許文献２参照）。
【先行技術文献】
【特許文献】
【０００７】
【特許文献１】特許第３３１７３５０号
【特許文献２】特開２００５−２３４６７３号公報
【発明の概要】
【発明が解決しようとする課題】
【０００８】
しかし、上記特許文献１に記載のトレーディングシステムにおいては、「逆指値注文」は新規建注文の約定単価に対して損失を一定の幅に抑えることを目的に設定されるものであるものの、顧客は、利益を確定するための「指値注文」とは別に損失を一定の幅に抑えるための「逆指値注文」を任意に発注する必要があり煩雑であることから必ずしも損失を一定の幅に抑えることができるとはいえない。また、相場の上昇／下落局面において相場の天井／底を見極めて売り／買いの注文を行うことは、相場の値動きを常に監視することが必要で多大な労力を要し、特に個人投資家にとっては困難であった。
【０００９】
また、上記特許文献２に記載の売買注文システムにおいては、新規の買／売建注文が約定した場合に、ストップロス幅を設定するという簡単な操作により、相場の天井／底の近くで反対売買時期であると通知することができ、顧客はユーザー端末から売買時期の情報を入手しながら売買注文を行うことができる。しかしながら、反対売買時期であると通知されることで、常に相場を監視していなくても反対売買時期を知ることはできるが、ストップロス注文を自動的に発注し、顧客の保有するポジションを自動的に決済するものではない。したがって、顧客が預け入れた保証金以上の損失の発生を自動的に防止することはできないものであった。
【００１０】
そこで、本発明は、このような問題点に対処し、外国為替保証金取引における売り持ち又は買い持ちのポジションと、当該ポジションに係る保証金に応じた値幅で損切りするように算出されたストップロスレートとによりストップロス注文を自動的に発注し、上記発注されたストップロス注文が約定した場合に当該ポジションを自動的に決済する自動ストップロスシステムを提供することを目的とする。
【課題を解決するための手段】
【００１１】
上記目的を達成するために、本発明による自動ストップロスシステムは、双方向通信可能な通信ネットワークを介して接続されたユーザー端末とサーバーとの間で売買注文を受け付け、外国為替保証金取引において取引される売り持ち又は買い持ちのポジションが成立した場合に、為替差損が一定の値幅に達した際に反対売買時期と判断して自動的に決済する自動ストップロスシステムであって、上記サーバーは、外国為替保証金取引での新規注文の取引通貨単位当りに必要な保証金を設定し、取引対象の新規注文の発注を行い、現在の外国為替レート情報を外部から取得し、上記外国為替保証金取引における売り持ち又は買い持ちのポジションを成立させ、上記成立されたポジションに対して上記設定された保証金に応じた値幅で損切りするストップロスレートを算出し、上記成立されたポジションと上記算出されたストップロスレートとにより反対売買注文となるストップロス注文を自動的に発注し、上記発注されたストップロス注文が約定した場合に上記ポジションを自動的に決済するストップロス注文発注決済装置を有するものである。
【００１２】
このような構成により、サーバーに備えられたストップロス注文発注決済装置によって、外国為替保証金取引での新規注文の取引通貨単位当りに必要な保証金を設定し、取引対象の新規注文の発注を行い、現在の外国為替レート情報を外部から取得し、上記外国為替保証金取引における売り持ち又は買い持ちのポジションを成立させ、上記成立されたポジションに対して上記設定された保証金に応じた値幅で損切りするストップロスレートを算出し、上記成立されたポジションと上記算出されたストップロスレートとにより反対売買注文となるストップロス注文を自動的に発注し、上記発注されたストップロス注文が約定した場合に上記ポジションを自動的に決済する。
【００１３】
また、上記サーバー内のストップロス注文発注決済装置は、外国為替保証金取引での新規注文の取引通貨単位当りに必要な保証金を設定する保証金設定部と、上記外国為替保証金取引の取引対象の売買注文方法の設定及び新規注文の発注を行う新規注文発注部と、現在の外国為替レート情報を外部から取得するレート情報取得部と、上記取得した現在の外国為替レートと上記新規注文発注部で設定された指定値段とを比較し注文を約定させる注文約定部と、上記注文約定部で約定した新規注文を上記外国為替保証金取引における売り持ち又は買い持ちのポジションとして成立させるポジション成立部と、上記成立されたポジションに対して上記保証金設定部で設定された保証金に応じた値幅で損切りするストップロスレートを算出するストップロスレート算出部と、上記ポジション成立部で成立されたポジションと上記ストップロスレート算出部で算出されたストップロスレートとにより反対売買注文となるストップロス注文を自動的に発注する自動ストップロス注文発注部と、上記発注されたストップロス注文が約定した場合に上記ポジションを自動的に決済するポジション決済部と、を備えて成るものである。
【００１４】
このような構成により、保証金設定部で外国為替保証金取引での新規注文の取引通貨単位当りに必要な保証金を設定し、新規注文発注部により上記外国為替保証金取引の取引対象の売買注文方法の設定及び新規注文の発注を行い、レート情報取得部で現在の外国為替レート情報を外部から取得し、注文約定部により上記取得した現在の外国為替レートと上記新規注文発注部で設定された指定値段とを比較し注文を約定させ、ポジション成立部で上記注文約定部で約定した新規注文を上記外国為替保証金取引における売り持ち又は買い持ちのポジションとして成立させ、ストップロスレート算出部により上記成立されたポジションに対して上記保証金設定部で設定された保証金に応じた値幅で損切りするストップロスレートを算出し、自動ストップロス注文発注部により上記ポジション成立部で成立されたポジションと上記ストップロスレート算出部で算出されたストップロスレートとにより反対売買注文となるストップロス注文を自動的に発注し、ポジション決済部で上記発注されたストップロス注文が約定した場合に上記ポジションを自動的に決済する。
【発明の効果】
【００１５】
請求項１に係る発明によれば、サーバーに備えられたストップロス注文発注決済装置によって、外国為替保証金取引での新規注文の取引通貨単位当りに必要な保証金を設定し、取引対象の新規注文の発注を行い、現在の外国為替レート情報を外部から取得し、上記外国為替保証金取引における売り持ち又は買い持ちのポジションを成立させ、上記成立されたポジションに対して上記設定された保証金に応じた値幅で損切りするストップロスレートを算出し、上記成立されたポジションと上記算出されたストップロスレートとにより反対売買注文となるストップロス注文を自動的に発注し、上記発注されたストップロス注文が約定した場合に上記ポジションを自動的に決済することができる。これにより、顧客が常に為替相場変動を監視していなくても、反対売買時期になったらストップロス注文が約定し、顧客の保有するポジションを自動的に決済することができる。したがって、個別ポジション単位で、顧客が預け入れた保証金以上の損失の発生を自動的に防止することができる。
【００１６】
また、請求項２に係る発明によれば、保証金設定部で外国為替保証金取引の取引通貨単位当りに必要な保証金を設定し、注文発注部により上記外国為替保証金取引の取引対象の売買注文方法の設定及び新規注文の発注を行い、レート情報取得部で現在の外国為替レート情報を外部から取得し、注文約定部により上記取得した現在の外国為替レートと上記新規注文発注部で設定された指定値段とを比較し注文を約定させ、ポジション成立部で上記注文約定部で約定した新規注文を上記外国為替保証金取引における売り持ち又は買い持ちのポジションとして成立させ、ストップロスレート算出部により上記成立されたポジションに対して上記保証金設定部で設定された保証金に応じた値幅で損切りするストップロスレートを算出し、自動ストップロス注文発注部により上記ポジション成立部で成立されたポジションと上記ストップロスレート算出部で算出されたストップロスレートとにより反対売買注文となるストップロス注文を自動的に発注し、ポジション決済部で上記発注されたストップロス注文が約定した場合に上記ポジションを自動的に決済することができる。これにより、顧客が常に為替相場変動を監視していなくても、反対売買時期になったらストップロス注文が約定し、顧客の保有するポジションを自動的に決済することができる。
【図面の簡単な説明】
【００１７】
【図１】本発明による自動ストップロスシステムの実施形態を示す概要図である。
【図２】上記自動ストップロスシステムにおけるサーバー内のストップロス注文発注決済装置の内部構成を示すブロック図である。
【図３】上記ストップロス注文発注決済装置の動作を示すフローチャートである。
【図４】米ドル／円の通貨ペアにおいて、顧客が保有するポジションと、自動ストップロス注文との関係を示す表である。
【図５】他の種類の通貨ペアにおいて、顧客が保有するポジションと、自動ストップロス注文との関係を示す表である。
【発明を実施するための形態】
【００１８】
以下、本発明の実施の形態を添付図面に基づいて詳細に説明する。
図１は本発明による自動ストップロスシステムの実施形態を示す概要図である。この自動ストップロスシステムは、外国為替保証金取引業者に保証金を預け入れて行う外国為替保証金取引において取引される売り持ち又は買い持ちのポジションが成立した場合に、為替差損が一定の値幅に達した際に反対売買時期と判断して自動的に当該ポジションを決済するもので、通信ネットワーク１と、ユーザー端末２と、サーバー３とを備えて成る。
【００１９】
上記通信ネットワーク１は、双方向通信可能なネットワークであり、代表例としてはインターネットがある。ユーザー端末２は、上記通信ネットワーク１に接続可能な装置であればどのようなものであってもよいが、例えばインターネットに接続可能なパーソナルコンピュータ、或いは携帯電話等の携帯端末がある。また、サーバー３は、上記通信ネットワーク１を介してユーザー端末２から入力された新規売買注文を受け付け、外国為替保証金取引において取引される売り持ち又は買い持ちのポジションが成立した場合に、為替差損が一定の値幅に達した際に反対売買時期と判断して自動的に当該ポジションを決済する機能を発揮するもので、ネットワーク処理部４と、ストップロス注文発注決済装置５とを備えている。
【００２０】
上記ネットワーク処理部４は、通信ネットワーク１を介してユーザー端末２との間で取引対象の新規注文及び新規注文に係る保証金設定のデータを送受信するものである。また、ストップロス注文発注決済装置５は、上記ネットワーク処理部４で送受信した新規注文及び新規注文に係る保証金設定のデータを取り込んで、外国為替保証金取引での新規注文の取引通貨単位当りに必要な保証金を設定し、取引対象の新規注文の発注を行い、現在の外国為替レート情報を外部から取得し、上記外国為替保証金取引における売り持ち又は買い持ちのポジションを成立させ、上記成立されたポジションに対して上記設定された保証金に応じた値幅で損切りするストップロスレートを算出し、上記成立されたポジションと上記算出されたストップロスレートとにより反対売買注文となるストップロス注文を自動的に発注し、上記発注されたストップロス注文が約定した場合に上記ポジションを自動的に決済するものである。
【００２１】
なお、図１において、上記サーバー３には、外国為替レート提供システム６が接続されている。この外国為替レート提供システム６は、上記サーバー３内のストップロス注文発注決済装置５に対して現在の外国為替レート情報を外部から送り込むもので、外国為替取引を行う銀行が提供する外国為替レート情報を受信して送り込むようになっている。
【００２２】
ここで、上記ストップロス注文発注決済装置５は、図２に示すように、保証金設定部１０と、新規注文発注部１１と、レート情報取得部１２と、注文約定部１３と、ポジション成立部１４と、ストップロスレート算出部１５と、自動ストップロス注文発注部１６と、ポジション決済部１７と、口座反映部１８とを備えて成る
【００２３】
上記保証金設定部１０は、外国為替保証金取引での新規注文の取引通貨単位当りに必要な保証金を設定するもので、データを書き込み、読み出し可能な記憶手段（例えばメモリ）を有している。そして、通信ネットワーク１を介してユーザー端末２から入力された、例えば１万米ドル当りに必要な保証金として例えば１０万円と設定して記憶するようになっている。
【００２４】
新規注文発注部１１は、上記外国為替保証金取引の取引対象の売買注文方法の設定及び新規注文の発注を行うもので、データを書き込み、読み出し可能な記憶手段（例えばメモリ）を有している。そして、通信ネットワーク１を介してユーザー端末２から入力された、売買する通貨の種類（例えば、米ドル／円、ポンド／円、ユーロ／円、豪ドル／円など）や取引額、指定値段などの条件を記憶するようになっている。
【００２５】
レート情報取得部１２は、現在の外国為替レート情報を外部から取得するもので、例えば受信手段を有している。そして、外国為替レート提供システム６から送られる例えば米ドル／円の為替レート情報を受信するようになっている。
【００２６】
注文約定部１３は、上記レート情報取得部１２で取得した現在の外国為替レートと上記新規注文発注部１１で設定された指定値段とを比較し注文を約定させるもので、例えば比較手段を有している。そして、上記新規注文発注部１１で設定された通貨の種類（例えば米ドル／円）と指定値段が、外国為替レート提供システム６から送られた外国為替レート（例えば米ドル／円＝110円）と比較した結果、一定条件を満たした場合に注文が約定するようになっている。
【００２７】
ポジション成立部１４は、上記注文約定部１３で約定した新規注文を上記外国為替保証金取引における売り持ち又は買い持ちのポジションとして成立させるもので、データを書き込み、読み出し可能な記憶手段（例えばメモリ）を有している。そして、上記保証金設定部１０で設定した例えば１万米ドル当りに必要な保証金１０万円の条件で、１万米ドルを買う（又は売る）ポジションが成立するようになっている。
【００２８】
ストップロスレート算出部１５は、上記ポジション成立部１４で成立されたポジションに対して上記保証金設定部１０で設定された保証金に応じた値幅で損切りするストップロスレートを算出するもので、例えば演算手段を有している。そして、上記設定された保証金１０万円に対して例えば８０％の損失（８万円）となるストップロスレートを算出するようになっている。例えば、上記注文約定部１３で新規買建注文が約定したときの外国為替レートが米ドル／円＝110円であるとすると、ストップロスレートは米ドル／円＝102円と算出され、８円下幅で設定される。なお、上記保証金に応じた損切りの値幅は、８０％の損失に限られず、上記保証金設定部１０で設定された保証金内であれば他の割合の損失であってもよい。
【００２９】
自動ストップロス注文発注部１６は、上記ポジション成立部１４で成立されたポジションと上記ストップロスレート算出部１５で算出されたストップロスレートとにより反対売買注文となるストップロス注文を自動的に発注し、当該ポジションとストップロス注文を関連付けするもので、データを書き込み、読み出し可能な記憶手段（例えばメモリ）を有している。そして、発注されたストップロス注文信号は、前記レート情報取得部１２へ送られる。
【００３０】
ポジション決済部１７は、上記自動ストップロス注文発注部１６から発注されたストップロス注文が約定した場合に上記ポジションを自動的に決済するもので、データを書き込み、読み出し可能な記憶手段（例えばメモリ）を有している。この場合、上記自動ストップロス注文発注部１６から出力されたストップロス注文が前記レート情報取得部１２へ送られ、外国為替レート提供システム６から受信する外国為替レートが上記算出されたストップロスレート（例えば米ドル／円＝102円）に一致又は損失方向に下回っている場合にストップロス注文が上記注文約定部１３にて約定し、前記注文約定部１３から当該ポジション決済部１７にストップロス注文約定信号が送られて、前記ポジションを自動的に決済するようになっている。例えば、１万米ドルを買う（又は売る）ポジションについて設定された保証金１０万円に対して例えば８０％の損失となるストップロスレートを設定した場合は、８万円の損失で外国為替保証金取引が終了する。
【００３１】
口座反映部１８は、顧客の保有する外国為替保証金取引の口座において、上記ポジション決済部１７で決済されたポジションについて設定された保証金からの損失額を口座の保証金より減じてその残額を出力するもので、例えば演算手段と、データを書き込み、読み出し可能な記憶手段（例えばメモリ）と、印刷出力手段とを有している。例えば、上記の場合、（１０万円の保証金口座総保証金額）−（８万円の損失）＝（２万円の保証金残高）を口座に印字出力するようになっている。
【００３２】
次に、このように構成された自動ストップロスシステムの動作について、図３のフローチャートを参照して説明する。顧客は、これから外国為替保証金取引において新規注文を開始するとして、自己の資金力や為替相場変動リスクを検討して、まず、図１に示すユーザー端末２を用いて通信ネットワーク１を介してサーバー３内のストップロス注文発注決済装置５にアクセスし、図２に示す保証金設定部１０で保証金を設定する（図３のステップＳ１）。この場合、外国為替保証金取引での新規注文の取引通貨単位（例えば１万米ドル）当りに必要な保証金として例えば１０万円を設定する。そして、この設定された保証金の情報は、図２の新規注文発注部１１へ送られる。
【００３３】
次に、同じくユーザー端末２を用いてサーバー３内のストップロス注文発注決済装置５にアクセスし、新規注文発注部１１で売買注文方法の設定及び新規注文の発注を行う（ステップＳ２）。この場合、売買する通貨の種類（例えば米ドル／円の通貨ペア）や取引額（１万米ドル）、指定値段（米ドル／円＝110円）などの条件を入力する。そして、この入力された条件の情報は、レート情報取得部１２へ送られる。
【００３４】
次に、レート情報取得部１２は、現在の外国為替レート情報を取得する（ステップＳ３）。この場合、図１に示すように、外部に設置された外国為替レート提供システム６から送られてくる米ドル／円、ポンド／円、ユーロ／円、豪ドル／円などの外国為替レート情報を取得する。そして、この取得した外国為替レート情報は、注文約定部１３へ送られる。
【００３５】
次に、注文約定部１３は、上記取得した現在の外国為替レートが前記新規注文発注部１１で入力された新規注文の指定値段（例えば米ドル／円＝110円）と比較して、新規注文の約定か否かを判断する（ステップＳ４）。約定ではないと判断された場合は、“NO”側に進んでステップＳ３に戻り、上記指定値段で約定する状態となるまで現在の外国為替レート情報を取得する。約定と判断された場合は、その取得した現在の外国為替レートで新規注文が約定したとして“YES”側に進み、その情報がポジション成立部１４へ送られる。
【００３６】
次に、ポジション成立部１４は、上記約定した新規注文を外国為替保証金取引における買い持ち（又は売り持ち）のポジションとして成立させる（ステップＳ５）。これにより、顧客はポジションを保有することになり、ポジション成立の情報はストップロスレート算出部１５へ送られる。なお、顧客が保有するポジションは、新規注文約定時の成立値段とその後の外国為替レートとの差により、評価損益が変動することになる。
【００３７】
次に、ストップロスレート算出部１５は、上記成立されたポジションに対して上記保証金設定部１０で設定された保証金に応じた値幅で損切りするストップロスレートを算出する（ステップＳ６）。例えば、上記設定された保証金１０万円に対して８０％の損失（８万円）となるストップロスレートを算出する場合は、上記注文約定部１３で新規買建注文が成立したときの外国為替レートが米ドル／円＝110円であるとすると、ストップロスレートは米ドル／円＝102円と算出される。すなわち、成立値段（110円）より８円下幅で設定される。そして、この算出されたストップロスレートは、自動ストップロス注文発注部１６へ送られる。
【００３８】
次に、自動ストップロス注文発注部１６は、上記ストップロスレート算出部１５で算出されたストップロスレートで、反対売買注文となるストップロス注文を自動的に発注（ステップＳ７）し、上記ポジション成立部１４で成立されたポジションと当該ストップロス注文とを関連付けする（ステップＳ８）。そして、この発注されたストップロス注文情報は、前記レート情報取得部１２へ送られる。
【００３９】
次に、レート情報取得部１２は、現在の外国為替レート情報を、外部に設置された外国為替レート提供システム６から取得する（ステップＳ９）。そして、この取得した外国為替レート情報は、注文約定部１３へ送られる。
【００４０】
次に、注文約定部１３は、上記取得した現在の外国為替レートと前記自動ストップロス注文発注部１６で発注されたストップロス注文のストップロスレート（例えば米ドル／円＝102円）とを比較して、ストップロス注文の約定か否かを判断する（ステップＳ１０）。約定ではないと判断された場合は、“NO”側に進んでステップＳ９に戻り、上記ストップロスレートで約定する状態となるまで現在の外国為替レート情報を取得する。約定と判断された場合は、その取得した現在の外国為替レートでストップロス注文が約定したとして“YES”側に進み、その情報がポジション決済部１７へ送られる。
【００４１】
次に、ポジション決済部１７は、前記ステップＳ５で成立し、ステップＳ８で関連付けされたポジションを自動的に決済する（ステップＳ１１）。例えば、８万円の損失となる。そして、このポジションが決済された情報が口座反映部１８へ送られる。
【００４２】
口座反映部１８では、顧客の保有する外国為替保証金取引の口座において、当該ポジションについて設定された保証金からの損失額を口座の保証金より減じて口座に反映する（ステップＳ１２）。例えば、（１０万円の保証金口座総保証金額）−（８万円の損失）＝（２万円の保証金残高）を口座に印字出力することで明確になる。
【００４３】
以上のような動作により、顧客が常に為替相場変動を監視していなくても、反対売買時期になったら、顧客の保有するポジションを自動的に決済することができる。したがって、個別ポジション単位で、顧客が預け入れた保証金以上の損失の発生を自動的に防止することができる。
【００４４】
図４は、以上の説明における米ドル／円の通貨ペアにおいて、顧客が保有するポジションと、自動ストップロス注文との関係を示す表である。図４（ａ）は、一つのポジションＡと、それに対する自動ストップロス注文ａとの関係を示している。ポジションＡは、通貨ペアが米ドル／円であり、買い持ちのポジションであり、取引額は１万米ドルであり、ポジションが成立したときの米ドル／円の為替レートは110円であり、１万通貨当りの保証金が１０万円として、ポジションＡが成立している。これに対して、自動ストップロス注文ａは、通貨ペアが米ドル／円であり、売買注文が売注文であり、取引額は１万米ドルであり、損切りする際のストップロスレートが102円であり、保証金１０万円に対する損失額が８万円として、自動ストップロス注文ａが発注されている。この場合、ポジション決済後の保証金の残高は、２万円となる。
【００４５】
図４（ｂ）は、他のポジションＢと、それに対する自動ストップロス注文ｂとの関係を示している。ポジションＢは、通貨ペアが米ドル／円であり、売り持ちのポジションであり、取引額は１万米ドルであり、ポジションが成立したときの米ドル／円の為替レートは105円であり、１万通貨当りの保証金が５万円として、ポジションＢが成立している。これに対して、自動ストップロス注文ｂは、通貨ペアが米ドル／円であり、売買注文が買注文であり、取引額は１万米ドルであり、損切りする際のストップロスレートが109円であり、保証金５万円に対する損失額が４万円として、自動ストップロス注文ｂが発注されている。この場合、ポジション決済後の保証金の残高は、１万円となる。
【００４６】
図５は、他の種類の通貨ペアにおいて、顧客が保有するポジションと、自動ストップロス注文との関係を示す表である。図５（ａ）は、通貨ペアがポンド／円であり、買い持ちのポジションであり、取引額は１万ポンドであり、ポジションが成立したときのポンド／円の為替レートは130円であり、１万通貨当りの保証金が２０万円として、ポジションＣが成立している。これに対して、自動ストップロス注文ｃは、通貨ペアがポンド／円であり、売買注文が売注文であり、取引額は１万ポンドであり、損切りする際のストップロスレートが114円であり、保証金２０万円に対する損失額が１６万円として、自動ストップロス注文ｃが発注されている。この場合、ポジション決済後の保証金の残高は、４万円となる。
【００４７】
図５（ｂ）は、通貨ペアがユーロ／円であり、売り持ちのポジションであり、取引額は１万ユーロであり、ポジションが成立したときのユーロ／円の為替レートは115円であり、１万通貨当りの保証金が３０万円として、ポジションＤが成立している。これに対して、自動ストップロス注文ｄは、通貨ペアがユーロ／円であり、売買注文が買注文であり、取引額は１万ユーロであり、損切りする際のストップロスレートが139円であり、保証金３０万円に対する損失額が２４万円として、自動ストップロス注文ｄが発注されている。この場合、ポジション決済後の保証金の残高は、６万円となる。
【００４８】
図５（ｃ）は、通貨ペアが豪ドル／円であり、買い持ちのポジションであり、取引額は１万豪ドルであり、ポジションが成立したときの豪ドル／円の為替レートは70円であり、１万通貨当りの保証金が2.5万円として、ポジションＥが成立している。これに対して、自動ストップロス注文ｅは、通貨ペアが豪ドル／円であり、売買注文が売注文であり、取引額は１万豪ドルであり、損切りする際のストップロスレートが68円であり、保証金2.5万円に対する損失額が２万円として、自動ストップロス注文ｅが発注されている。この場合、ポジション決済後の保証金の残高は、５千円となる。
【００４９】
なお、図４及び図５の例においては、保証金に応じた損切りの値幅は全て８０％の損失としたが、本発明はこれに限られず、適宜他の割合の損失としてもよい。また、ストップロス注文発注決済装置５の内部構成は、図２に示す構成に限られず、同じ作用、機能を発揮するものならば他の構成であってもよい。
【符号の説明】
【００５０】
１…通信ネットワーク
２…ユーザー端末
３…サーバー
４…ネットワーク処理部
５…ストップロス注文発注決済装置
６…外国為替レート提供システム
１０…保証金設定部
１１…新規注文発注部
１２…レート情報取得部
１３…注文約定部
１４…ポジション成立部
１５…ストップロスレート算出部
１６…自動ストップロス注文発注部
１７…ポジション決済部
１８…口座反映部
【図１】
2009277237.tif 000003
【図２】
2009277237.tif 000004
【図３】
2009277237.tif 000005
【図４】
2009277237.tif 000006
【図５】
2009277237.tif 000007
【手続補正書】
【提出日】平成21年6月18日(2009.6.18)
【手続補正２】
【補正対象書類名】明細書
【補正対象項目名】０００１
【補正方法】変更
【補正の内容】
【０００１】
本発明は、外国為替保証金取引業者に保証金を預け入れて行う外国為替保証金取引において取引される売り持ち又は買い持ちのポジションが成立した場合に、為替差損が一定の値幅に達した際に反対売買時期と判断して自動的に決済する自動ストップロスシステム及びストップロス注文発注決済装置に関し、詳しくは、上記外国為替保証金取引における売り持ち又は買い持ちのポジションと、当該ポジションに係る保証金に応じた値幅で損切りするように算出されたストップロスレートとによりストップロス注文を自動的に発注し、上記発注されたストップロス注文が約定した場合に当該ポジションを自動的に決済する自動ストップロスシステム及びストップロス注文発注決済装置に係るものである。
【手続補正３】
【補正対象書類名】明細書
【補正対象項目名】００１０
【補正方法】変更
【補正の内容】
【００１０】
そこで、本発明は、このような問題点に対処し、外国為替保証金取引における売り持ち又は買い持ちのポジションと、当該ポジションに係る保証金に応じた値幅で損切りするように算出されたストップロスレートとによりストップロス注文を自動的に発注し、上記発注されたストップロス注文が約定した場合に当該ポジションを自動的に決済する自動ストップロスシステム及びストップロス注文発注決済装置を提供することを目的とする。
【手続補正４】
【補正対象書類名】明細書
【補正対象項目名】００１１
【補正方法】変更
【補正の内容】
【００１１】
上記目的を達成するために、第１の発明による自動ストップロスシステムは、双方向通信可能な通信ネットワークを介して接続されたユーザー端末とサーバーとの間で売買注文を受け付け、外国為替保証金取引において取引される売り持ち又は買い持ちのポジションが成立した場合に、為替差損が一定の値幅に達した際に反対売買時期と判断して自動的に決済する自動ストップロスシステムであって、上記サーバーは、外国為替保証金取引での新規注文の取引通貨単位当りに必要な保証金を設定し、取引対象の新規注文の発注を行い、現在の外国為替レート情報を外部から取得し、上記外国為替保証金取引における売り持ち又は買い持ちのポジションを成立させ、上記成立されたポジションに対して上記設定された保証金に応じた値幅で損切りするストップロスレートを算出し、上記成立されたポジションと上記算出されたストップロスレートとにより反対売買注文となるストップロス注文を自動的に発注し、上記発注されたストップロス注文が約定した場合に上記ポジションを自動的に決済する処理手段を有するものである。
【手続補正５】
【補正対象書類名】明細書
【補正対象項目名】００１２
【補正方法】変更
【補正の内容】
【００１２】
このような構成により、サーバーの処理によって、外国為替保証金取引での新規注文の取引通貨単位当りに必要な保証金を設定し、取引対象の新規注文の発注を行い、現在の外国為替レート情報を外部から取得し、上記外国為替保証金取引における売り持ち又は買い持ちのポジションを成立させ、上記成立されたポジションに対して上記設定された保証金に応じた値幅で損切りするストップロスレートを算出し、上記成立されたポジションと上記算出されたストップロスレートとにより反対売買注文となるストップロス注文を自動的に発注し、上記発注されたストップロス注文が約定した場合に上記ポジションを自動的に決済する。
【手続補正６】
【補正対象書類名】明細書
【補正対象項目名】００１３
【補正方法】変更
【補正の内容】
【００１３】
また、第２の発明によるストップロス注文発注決済装置は、外国為替保証金取引での新規注文の取引通貨単位当りに必要な保証金を設定する保証金設定部と、上記外国為替保証金取引の取引対象の売買注文方法の設定及び新規注文の発注を行う新規注文発注部と、現在の外国為替レート情報を外部から取得するレート情報取得部と、上記取得した現在の外国為替レートと上記新規注文発注部で設定された指定値段とを比較し注文を約定させる注文約定部と、上記注文約定部で約定した新規注文を上記外国為替保証金取引における売り持ち又は買い持ちのポジションとして成立させるポジション成立部と、上記成立されたポジションに対して上記保証金設定部で設定された保証金に応じた値幅で損切りするストップロスレートを算出するストップロスレート算出部と、上記ポジション成立部で成立されたポジションと上記ストップロスレート算出部で算出されたストップロスレートとにより反対売買注文となるストップロス注文を自動的に発注する自動ストップロス注文発注部と、上記発注されたストップロス注文が約定した場合に上記ポジションを自動的に決済するポジション決済部と、を備えて成るものである。
【手続補正７】
【補正対象書類名】明細書
【補正対象項目名】００１５
【補正方法】変更
【補正の内容】
【００１５】
請求項１に係る発明によれば、サーバーの処理によって、外国為替保証金取引での新規注文の取引通貨単位当りに必要な保証金を設定し、取引対象の新規注文の発注を行い、現在の外国為替レート情報を外部から取得し、上記外国為替保証金取引における売り持ち又は買い持ちのポジションを成立させ、上記成立されたポジションに対して上記設定された保証金に応じた値幅で損切りするストップロスレートを算出し、上記成立されたポジションと上記算出されたストップロスレートとにより反対売買注文となるストップロス注文を自動的に発注し、上記発注されたストップロス注文が約定した場合に上記ポジションを自動的に決済することができる。これにより、顧客が常に為替相場変動を監視していなくても、反対売買時期になったらストップロス注文が約定し、顧客の保有するポジションを自動的に決済することができる。したがって、個別ポジション単位で、顧客が預け入れた保証金以上の損失の発生を自動的に防止することができる。
【手続補正８】
【補正対象書類名】明細書
【補正対象項目名】００１７
【補正方法】変更
【補正の内容】
【００１７】
【図１】第１の発明による自動ストップロスシステムの実施形態を示す概要図である。
【図２】第２の発明によるストップロス注文発注決済装置の実施形態を示すブロック図であり、上記自動ストップロスシステムにおけるサーバー内に設けられたものである。
【図３】上記ストップロス注文発注決済装置の動作を示すフローチャートである。
【図４】米ドル／円の通貨ペアにおいて、顧客が保有するポジションと、自動ストップロス注文との関係を示す表である。
【図５】他の種類の通貨ペアにおいて、顧客が保有するポジションと、自動ストップロス注文との関係を示す表である。
【手続補正９】
【補正対象書類名】明細書
【補正対象項目名】００２０
【補正方法】変更
【補正の内容】
【００２０】
上記ネットワーク処理部４は、通信ネットワーク１を介してユーザー端末２との間で取引対象の新規注文及び新規注文に係る保証金設定のデータを送受信するものである。また、ストップロス注文発注決済装置５は、上記ネットワーク処理部４で送受信した新規注文及び新規注文に係る保証金設定のデータを取り込んで、外国為替保証金取引での新規注文の取引通貨単位当りに必要な保証金を設定し、取引対象の新規注文の発注を行い、現在の外国為替レート情報を外部から取得し、上記外国為替保証金取引における売り持ち又は買い持ちのポジションを成立させ、上記成立されたポジションに対して上記設定された保証金に応じた値幅で損切りするストップロスレートを算出し、上記成立されたポジションと上記算出されたストップロスレートとにより反対売買注文となるストップロス注文を自動的に発注し、上記発注されたストップロス注文が約定した場合に上記ポジションを自動的に決済する処理手段となるものである。
【手続補正１０】
【補正対象書類名】明細書
【補正対象項目名】００３２
【補正方法】変更
【補正の内容】
【００３２】
次に、このように構成された自動ストップロスシステム及びストップロス注文発注決済装置の動作について、図３のフローチャートを参照して説明する。顧客は、これから外国為替保証金取引において新規注文を開始するとして、自己の資金力や為替相場変動リスクを検討して、まず、図１に示すユーザー端末２を用いて通信ネットワーク１を介してサーバー３内のストップロス注文発注決済装置５にアクセスし、図２に示す保証金設定部１０で保証金を設定する（図３のステップＳ１）。この場合、外国為替保証金取引での新規注文の取引通貨単位（例えば１万米ドル）当りに必要な保証金として例えば１０万円を設定する。そして、この設定された保証金の情報は、図２の新規注文発注部１１へ送られる。
【手続補正１１】
【補正対象書類名】特許請求の範囲
【補正対象項目名】全文
【補正方法】変更
【補正の内容】
【特許請求の範囲】
【請求項１】
双方向通信可能な通信ネットワークを介して接続されたユーザー端末とサーバーとの間で売買注文を受け付け、外国為替保証金取引において取引される売り持ち又は買い持ちのポジションが成立した場合に、為替差損が一定の値幅に達した際に反対売買時期と判断して自動的に決済する自動ストップロスシステムであって、
上記サーバーは、外国為替保証金取引での新規注文の取引通貨単位当りに必要な保証金を設定し、取引対象の新規注文の発注を行い、現在の外国為替レート情報を外部から取得し、上記外国為替保証金取引における売り持ち又は買い持ちのポジションを成立させ、上記成立されたポジションに対して上記設定された保証金に応じた値幅で損切りするストップロスレートを算出し、上記成立されたポジションと上記算出されたストップロスレートとにより反対売買注文となるストップロス注文を自動的に発注し、上記発注されたストップロス注文が約定した場合に上記ポジションを自動的に決済する処理手段を有することを特徴とする自動ストップロスシステム。
【請求項２】
外国為替保証金取引での新規注文の取引通貨単位当りに必要な保証金を設定する保証金設定部と、
上記外国為替保証金取引の取引対象の売買注文方法の設定及び新規注文の発注を行う新規注文発注部と、
現在の外国為替レート情報を外部から取得するレート情報取得部と、
上記取得した現在の外国為替レートと上記新規注文発注部で設定された指定値段とを比較し注文を約定させる注文約定部と、
上記注文約定部で約定した新規注文を上記外国為替保証金取引における売り持ち又は買い持ちのポジションとして成立させるポジション成立部と、
上記成立されたポジションに対して上記保証金設定部で設定された保証金に応じた値幅で損切りするストップロスレートを算出するストップロスレート算出部と、
上記ポジション成立部で成立されたポジションと上記ストップロスレート算出部で算出されたストップロスレートとにより反対売買注文となるストップロス注文を自動的に発注する自動ストップロス注文発注部と、
上記発注されたストップロス注文が約定した場合に上記ポジションを自動的に決済するポジション決済部と、
を有することを特徴とするストップロス注文発注決済装置。
【手続補正書】
【提出日】平成21年9月10日(2009.9.10)
【手続補正２】
【補正対象書類名】明細書
【補正対象項目名】０００１
【補正方法】変更
【補正の内容】
【０００１】
本発明は、外国為替保証金取引業者に保証金を預け入れて行う外国為替保証金取引において取引される売り持ち又は買い持ちのポジションが成立した場合に、為替差損が一定の値幅に達した際に反対売買時期と判断して自動的に決済するストップロス注文発注決済装置に関し、詳しくは、上記外国為替保証金取引における売り持ち又は買い持ちのポジションと、当該ポジションに係る保証金に応じた値幅で損切りするように算出されたストップロスレートとによりストップロス注文を自動的に発注し、上記発注されたストップロス注文が約定した場合に当該ポジションを自動的に決済するストップロス注文発注決済装置に係るものである。
【手続補正３】
【補正対象書類名】明細書
【補正対象項目名】００１０
【補正方法】変更
【補正の内容】
【００１０】
そこで、本発明は、このような問題点に対処し、外国為替保証金取引における売り持ち又は買い持ちのポジションと、当該ポジションに係る保証金に応じた値幅で損切りするように算出されたストップロスレートとによりストップロス注文を自動的に発注し、上記発注されたストップロス注文が約定した場合に当該ポジションを自動的に決済するストップロス注文発注決済装置を提供することを目的とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
上記目的を達成するために、本発明によるストップロス注文発注決済装置は、外国為替保証金取引での新規注文の取引通貨単位当りに必要な保証金を設定し記憶手段に記憶する保証金設定部と、上記外国為替保証金取引の取引対象の売買注文方法の設定及び新規注文の発注を行い記憶手段に記憶する新規注文発注部と、外部の外国為替レート提供システムから現在の外国為替レート情報を内蔵の受信手段で取得するレート情報取得部と、上記レート情報取得部で取得した現在の外国為替レートと上記新規注文発注部で設定された指定値段とを比較手段で比較し、上記設定された指定値段が現在の外国為替レートに対し一定条件を満たした場合に注文を約定させる注文約定部と、上記注文約定部で約定した新規注文を上記外国為替保証金取引における売り持ち又は買い持ちのポジションとして成立させ記憶手段に記憶するポジション成立部と、上記ポジション成立部で成立されたポジションに対して上記保証金設定部で設定された保証金に応じた値幅で損切りするストップロスレートを演算手段で算出するストップロスレート算出部と、上記ポジション成立部で成立されたポジションと上記ストップロスレート算出部で算出されたストップロスレートとにより反対売買注文となるストップロス注文を自動的に発注し、当該ポジションとストップロス注文を関連付けして記憶手段に記憶する自動ストップロス注文発注部と、上記自動ストップロス注文発注部から発注されたストップロス注文が上記レート情報取得部へ送られ、外部から受信する外国為替レートが上記ストップロスレート算出部で算出されたストップロスレートに一致又は損失方向に下回っている場合に上記ストップロス注文が上記注文約定部にて約定し、上記ポジション成立部で成立されたポジションを自動的に決済して記憶手段に記憶するポジション決済部と、を備えて成るものである。
【手続補正７】
【補正対象書類名】明細書
【補正対象項目名】００１４
【補正方法】変更
【補正の内容】
【００１４】
このような構成により、保証金設定部で外国為替保証金取引での新規注文の取引通貨単位当りに必要な保証金を設定し、新規注文発注部により上記外国為替保証金取引の取引対象の売買注文方法の設定及び新規注文の発注を行い、レート情報取得部で外部の外国為替レート提供システムから現在の外国為替レート情報を取得し、注文約定部により上記レート情報取得部で取得した現在の外国為替レートと上記新規注文発注部で設定された指定値段とを比較し、上記設定された指定値段が現在の外国為替レートに対し一定条件を満たした場合に注文を約定させ、ポジション成立部により上記注文約定部で約定した新規注文を上記外国為替保証金取引における売り持ち又は買い持ちのポジションとして成立させ、ストップロスレート算出部により上記ポジション成立部で成立されたポジションに対して上記保証金設定部で設定された保証金に応じた値幅で損切りするストップロスレートを算出し、自動ストップロス注文発注部により上記ポジション成立部で成立されたポジションと上記ストップロスレート算出部で算出されたストップロスレートとにより反対売買注文となるストップロス注文を自動的に発注して当該ポジションとストップロス注文を関連付けし、ポジション決済部で上記自動ストップロス注文発注部から発注されたストップロス注文が上記レート情報取得部へ送られ、外部から受信する外国為替レートが上記ストップロスレート算出部で算出されたストップロスレートに一致又は損失方向に下回っている場合に上記ストップロス注文が上記注文約定部にて約定し、上記ポジション成立部で成立されたポジションを自動的に決済する。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
請求項１に係る発明によれば、保証金設定部で外国為替保証金取引での新規注文の取引通貨単位当りに必要な保証金を設定し、新規注文発注部により上記外国為替保証金取引の取引対象の売買注文方法の設定及び新規注文の発注を行い、レート情報取得部で外部の外国為替レート提供システムから現在の外国為替レート情報を取得し、注文約定部により上記レート情報取得部で取得した現在の外国為替レートと上記新規注文発注部で設定された指定値段とを比較し、上記設定された指定値段が現在の外国為替レートに対し一定条件を満たした場合に注文を約定させ、ポジション成立部により上記注文約定部で約定した新規注文を上記外国為替保証金取引における売り持ち又は買い持ちのポジションとして成立させ、ストップロスレート算出部により上記ポジション成立部で成立されたポジションに対して上記保証金設定部で設定された保証金に応じた値幅で損切りするストップロスレートを算出し、自動ストップロス注文発注部により上記ポジション成立部で成立されたポジションと上記ストップロスレート算出部で算出されたストップロスレートとにより反対売買注文となるストップロス注文を自動的に発注して当該ポジションとストップロス注文を関連付けし、ポジション決済部で上記自動ストップロス注文発注部から発注されたストップロス注文が上記レート情報取得部へ送られ、外部から受信する外国為替レートが上記ストップロスレート算出部で算出されたストップロスレートに一致又は損失方向に下回っている場合に上記ストップロス注文が上記注文約定部にて約定し、上記ポジション成立部で成立されたポジションを自動的に決済することができる。これにより、顧客が常に為替相場変動を監視していなくても、反対売買時期になったらストップロス注文が約定し、顧客の保有するポジションを自動的に決済することができる。したがって、個別ポジション単位で、顧客が預け入れた保証金以上の損失の発生を自動的に防止することができる。
【手続補正１０】
【補正対象書類名】明細書
【補正対象項目名】００１７
【補正方法】変更
【補正の内容】
【００１７】
【図１】本発明によるストップロス注文発注決済装置が適用される自動ストップロスシステムを示す概要図であり、本発明のストップロス注文発注決済装置は上記自動ストップロスシステムにおけるサーバー内に設けられている。
【図２】本発明によるストップロス注文発注決済装置の実施形態を示すブロック図である。
【図３】上記ストップロス注文発注決済装置の動作を示すフローチャートである。
【図４】米ドル／円の通貨ペアにおいて、顧客が保有するポジションと、自動ストップロス注文との関係を示す表である。
【図５】他の種類の通貨ペアにおいて、顧客が保有するポジションと、自動ストップロス注文との関係を示す表である。
【手続補正１１】
【補正対象書類名】明細書
【補正対象項目名】００１８
【補正方法】変更
【補正の内容】
【００１８】
以下、本発明の実施の形態を添付図面に基づいて詳細に説明する。
図１は本発明によるストップロス注文発注決済装置が適用される自動ストップロスシステムを示す概要図である。この自動ストップロスシステムは、外国為替保証金取引業者に保証金を預け入れて行う外国為替保証金取引において取引される売り持ち又は買い持ちのポジションが成立した場合に、為替差損が一定の値幅に達した際に反対売買時期と判断して自動的に当該ポジションを決済するもので、通信ネットワーク１と、ユーザー端末２と、サーバー３とを備えて成る。
【手続補正１２】
【補正対象書類名】明細書
【補正対象項目名】００３２
【補正方法】変更
【補正の内容】
【００３２】
次に、このように構成されたストップロス注文発注決済装置の動作について、図３のフローチャートを参照して説明する。顧客は、これから外国為替保証金取引において新規注文を開始するとして、自己の資金力や為替相場変動リスクを検討して、まず、図１に示すユーザー端末２を用いて通信ネットワーク１を介してサーバー３内のストップロス注文発注決済装置５にアクセスし、図２に示す保証金設定部１０で保証金を設定する（図３のステップＳ１）。この場合、外国為替保証金取引での新規注文の取引通貨単位（例えば１万米ドル）当りに必要な保証金として例えば１０万円を設定する。そして、この設定された保証金の情報は、図２の新規注文発注部１１へ送られる。
【手続補正１３】
【補正対象書類名】特許請求の範囲
【補正対象項目名】全文
【補正方法】変更
【補正の内容】
【特許請求の範囲】
【請求項１】
外国為替保証金取引での新規注文の取引通貨単位当りに必要な保証金を設定し記憶手段に記憶する保証金設定部と、
上記外国為替保証金取引の取引対象の売買注文方法の設定及び新規注文の発注を行い記憶手段に記憶する新規注文発注部と、
外部の外国為替レート提供システムから現在の外国為替レート情報を内蔵の受信手段で取得するレート情報取得部と、
上記レート情報取得部で取得した現在の外国為替レートと上記新規注文発注部で設定された指定値段とを比較手段で比較し、上記設定された指定値段が現在の外国為替レートに対し一定条件を満たした場合に注文を約定させる注文約定部と、
上記注文約定部で約定した新規注文を上記外国為替保証金取引における売り持ち又は買い持ちのポジションとして成立させ記憶手段に記憶するポジション成立部と、
上記ポジション成立部で成立されたポジションに対して上記保証金設定部で設定された保証金に応じた値幅で損切りするストップロスレートを演算手段で算出するストップロスレート算出部と、
上記ポジション成立部で成立されたポジションと上記ストップロスレート算出部で算出されたストップロスレートとにより反対売買注文となるストップロス注文を自動的に発注し、当該ポジションとストップロス注文を関連付けして記憶手段に記憶する自動ストップロス注文発注部と、
上記自動ストップロス注文発注部から発注されたストップロス注文が上記レート情報取得部へ送られ、外部から受信する外国為替レートが上記ストップロスレート算出部で算出されたストップロスレートに一致又は損失方向に下回っている場合に上記ストップロス注文が上記注文約定部にて約定し、上記ポジション成立部で成立されたポジションを自動的に決済して記憶手段に記憶するポジション決済部と、
を有することを特徴とするストップロス注文発注決済装置。